(57)【要約】【課題】来訪者の正当性確認の確実性を高めることのできるインターホン装置を提供する。【解決手段】インターホン子機において、所有者に関する所有者関連情報を記憶する記憶媒体から情報を読み取る読取部と、インターホン親機において、前記読取部により読み取られた所有者関連情報を表示部に表示させる表示制御部とを備えてインターホン装置を構成する。【選択図】図５
2016225898.tif 000002
【特許請求の範囲】
【請求項１】
インターホン子機において、所有者に関する所有者関連情報を記憶する記憶媒体から情報を読み取る読取部と、
インターホン親機において、前記読取部により読み取られた所有者関連情報を表示部に表示させる表示制御部と
を備えるインターホン装置。
【請求項２】
前記表示制御部は、
前記インターホン子機が備える撮像部により撮像された画像とともに、前記読取部により読み取られた所有者関連情報に含まれる所有者の画像を前記表示部に表示する
請求項１に記載のインターホン装置。
【請求項３】
前記読取部により読み取られた所有者関連情報を含む来訪者履歴情報を来訪者履歴情報記憶部に記憶させる履歴管理部をさらに備える
請求項１または２に記載のインターホン装置。
【請求項４】
インターホン子機において、所有者に関する所有者関連情報を記憶する記憶媒体から情報を読み取る読取部と、
サーバ装置において、登録者が所有する記憶媒体に記憶されるのと同じ所有者関連情報を記憶する登録者テーブル記憶部から、前記読取部によって記憶媒体から読み取られた所定の情報に対応する所有者関連情報を取得する所有者関連情報取得部と、
インターホン親機において、前記所有者関連情報取得部によって読み取られた所有者関連情報を、表示部に表示させる表示制御部と、
を備えるインターホンシステム。
【請求項５】
前記表示制御部は、
前記インターホン子機が備える撮像部により撮像された画像とともに、前記サーバ装置により取得された所有者関連情報に含まれる所有者の画像を前記表示部に表示する
請求項４に記載のインターホンシステム。
【請求項６】
前記読取部により記憶媒体から読み取った所有者関連情報を含む来訪者履歴情報を来訪者履歴情報記憶部に記憶させる履歴管理部をさらに備える
請求項５に記載のインターホンシステム。
【請求項７】
インターホン子機において、所有者に関する所有者関連情報を記憶する記憶媒体から情報を読み取る読取部と、
インターホン親機において、登録者が所有する記憶媒体に記憶されるのと同じ所有者関連情報を記憶する登録者テーブル記憶部からサーバ装置が取得した、前記読取部によって読み取られた所定の情報に対応する所有者関連情報を、表示部に表示させる表示制御部と、
を備えるインターホン装置。
【請求項８】
登録者が所有する記憶媒体に記憶されるのと同じ所有者関連情報を記憶する登録者テーブル記憶部から、インターホン子機における読取部によって記憶媒体から読み取られた所定の情報に対応する所有者関連情報を取得する所有者関連情報取得部と、
前記所有者関連情報取得部により取得された所有者関連情報を、インターホン親機における表示部において表示されるように送信する情報送信制御部と
を備えるサーバ装置。
【請求項９】
インターホン子機において、所有者に関する所有者関連情報を記憶する記憶媒体から情報を読み取る読取部と、
前記インターホン子機において、来訪者を撮像するように設けられる撮像部と、
サーバ装置において、登録者が所有する記憶媒体に前記所有者関連情報として記憶される所有者証明画像を少なくとも記憶する登録者テーブル記憶部から、前記読取部によって記憶媒体から読み取られた所定の情報に対応する所有者証明画像を取得する所有者関連情報取得部と、
前記サーバ装置において、前記撮像部によって撮像された画像と、前記所有者関連情報取得部によって取得された所有者証明画像とを比較した結果に基づいて、来訪者の正当性を判定する正当性判定部と、
インターホン親機において、前記正当性判定部による判定結果を出力する判定結果出力部と
を備えるインターホンシステム。
【請求項１０】
前記読取部により記憶媒体から読み取った所有者関連情報を含む来訪者履歴情報を来訪者履歴情報記憶部に記憶させる履歴管理部をさらに備える
請求項９に記載のインターホンシステム。
【請求項１１】
インターホン子機において、所有者に関する所有者関連情報を記憶する記憶媒体から情報を読み取る読取部と、
インターホン子機において、来訪者を撮像するように設けられる撮像部と、
インターホン親機において、来訪者の正当性についての判定結果を出力する判定結果出力部とを備え、
来訪者の正当性についての判定は、前記撮像部によって撮像された画像と所有者証明画像とを比較した結果に基づいてサーバ装置において行われ、前記所有者証明画像は、登録者が所有する記憶媒体に記憶される所有者証明画像を少なくとも記憶する登録者テーブル記憶部から、前記読取部によって記憶媒体から読み取られた所定の情報に対応するものとして前記サーバ装置によって取得される
インターホン装置。
【請求項１２】
所有者に関する所有者関連情報を記憶する記憶媒体から情報を読み取る読取部と来訪者を撮像するように設けられる撮像部とを備えるインターホン子機と、インターホン親機とを備えるインターホン装置と接続されるサーバ装置であって、
登録者が所有する記憶媒体に前記所有者関連情報として記憶される所有者証明画像を少なくとも記憶する登録者テーブル記憶部から、インターホン子機の読取部によって記憶媒体から読み取られた所定の情報に対応する所有者証明画像を取得する所有者関連情報取得部と、
前記サーバ装置において、前記撮像部によって撮像された画像と、前記所有者関連情報取得部によって取得された所有者証明画像とを比較した結果に基づいて、来訪者の正当性を判定し、判定結果が前記インターホン親機にて出力されるように制御する正当性判定部と、
を備えるサーバ装置。
【請求項１３】
前記記憶媒体には、当該記憶媒体が正当なものであることを証明する正当性確認情報がさらに記憶されており、
前記読取部によって記憶媒体から読み取られた正当性確認情報に基づいて、前記記憶媒体が正当であるか否かについて判定する記憶媒体正当性判定部をさらに備える
請求項１２に記載のサーバ装置。
【発明の詳細な説明】
【技術分野】
【０００１】
本発明は、インターホン装置、インターホンシステム及びサーバ装置に関する。
【背景技術】
【０００２】
住宅用のインターホンは、玄関に備えられる子機と室内に備えられる親機とを備え、子機と親機とで通話を行うことができる。このようなインターホンは、例えば住宅室内の居住者が玄関を開けることなく来訪者と会話をすることで来訪者を確認できるため、防犯面で有効である。
現在においては、防犯機能を高めるために、子機により来訪者を撮像して親機側で撮像された画像をモニタできるようにされたインターホンが広く普及している。このようなモニタ機能を有するインターホンとして、子機が備えるカメラの撮像視野角度を親機側で可変できるようにして来訪者の顔を確実に確認できるようにされたものが知られている（例えば、特許文献１参照）。
【先行技術文献】
【特許文献】
【０００３】
【特許文献１】特開平４−８２４９１号公報
【発明の概要】
【発明が解決しようとする課題】
【０００４】
以前から、宅配業者、電気検針員、公務員などを装って住宅を訪問する詐欺、強盗などの犯罪が発生している。特に、近年においては女性の一人暮らしや高齢者だけの世帯などが増えている状況にあり、かつ、犯罪の手口も巧妙化している。
しかし、現状のインターホンでは、会話による人物の雰囲気や、モニタ画像で見ることのできる来訪者の服装などから居住者自身が、来訪者の正当性を判断することしかできない。即ち、現状のインターホンでは来訪者の正当性を確実に確認することが難しい。
【０００５】
本発明は、このような事情に鑑みてなされたもので、インターホン装置による来訪者の正当性確認の確実性を高めることを目的とする。
【課題を解決するための手段】
【０００６】
上述した課題を解決するために、本発明の一態様は、インターホン子機において、所有者に関する所有者関連情報を記憶する記憶媒体から情報を読み取る読取部と、インターホン親機において、前記読取部により読み取られた所有者関連情報を表示部に表示させる表示制御部とを備えるインターホン装置である。
【０００７】
本発明の一態様は、上記のインターホン装置であって、前記表示制御部は、前記インターホン子機が備える撮像部により撮像された画像とともに、前記読取部により読み取られた所有者関連情報に含まれる所有者の画像を前記表示部に表示してもよい。
【０００８】
本発明の一態様は、上記のインターホン装置であって、前記読取部により読み取られた所有者関連情報を含む来訪者履歴情報を来訪者履歴情報記憶部に記憶させる履歴管理部をさらに備えてもよい。
【０００９】
本発明の一態様は、インターホン子機において、所有者に関する所有者関連情報を記憶する記憶媒体から情報を読み取る読取部と、サーバ装置において、登録者が所有する記憶媒体に記憶されるのと同じ所有者関連情報を記憶する登録者テーブル記憶部から、前記読取部によって記憶媒体から読み取られた所定の情報に対応する所有者関連情報を取得する所有者関連情報取得部と、インターホン親機において、前記所有者関連情報取得部によって読み取られた所有者関連情報を、表示部に表示させる表示制御部とを備えるインターホンシステムである。
【００１０】
本発明の一態様は、上記のインターホンシステムであって、前記表示制御部は、前記インターホン子機が備える撮像部により撮像された画像とともに、前記サーバ装置により取得された所有者関連情報に含まれる所有者の画像を前記表示部に表示してもよい。
【００１１】
本発明の一態様は、上記のインターホンシステムであって、前記読取部により記憶媒体から読み取った所有者関連情報を含む来訪者履歴情報を来訪者履歴情報記憶部に記憶させる履歴管理部をさらに備えてもよい。
【００１２】
本発明の一態様は、インターホン子機において、所有者に関する所有者関連情報を記憶する記憶媒体から情報を読み取る読取部と、インターホン親機において、登録者が所有する記憶媒体に記憶されるのと同じ所有者関連情報を記憶する登録者テーブル記憶部からサーバ装置が取得した、前記読取部によって読み取られた所定の情報に対応する所有者関連情報を、表示部に表示させる表示制御部とを備えるインターホン装置である。
【００１３】
本発明の一態様は、登録者が所有する記憶媒体に記憶されるのと同じ所有者関連情報を記憶する登録者テーブル記憶部から、インターホン子機における読取部によって記憶媒体から読み取られた所定の情報に対応する所有者関連情報を取得する所有者関連情報取得部と、前記所有者関連情報取得部により取得された所有者関連情報を、インターホン親機における表示部において表示されるように送信する情報送信制御部とを備えるサーバ装置である。
【００１４】
本発明の一態様は、インターホン子機において、所有者に関する所有者関連情報を記憶する記憶媒体から情報を読み取る読取部と、前記インターホン子機において、来訪者を撮像するように設けられる撮像部と、サーバ装置において、登録者が所有する記憶媒体に前記所有者関連情報として記憶される所有者証明画像を少なくとも記憶する登録者テーブル記憶部から、前記読取部によって記憶媒体から読み取られた所定の情報に対応する所有者証明画像を取得する所有者関連情報取得部と、前記サーバ装置において、前記撮像部によって撮像された画像と、前記所有者関連情報取得部によって取得された所有者証明画像とを比較した結果に基づいて、来訪者の正当性を判定する正当性判定部と、インターホン親機において、前記正当性判定部による判定結果を出力する判定結果出力部とを備えるインターホンシステムである。
【００１５】
本発明の一態様は、上記のインターホンシステムであって、前記読取部により記憶媒体から読み取った所有者関連情報を含む来訪者履歴情報を来訪者履歴情報記憶部に記憶させる履歴管理部をさらに備えてもよい。
【００１６】
本発明の一態様は、インターホン子機において、所有者に関する所有者関連情報を記憶する記憶媒体から情報を読み取る読取部と、インターホン子機において、来訪者を撮像するように設けられる撮像部と、インターホン親機において、来訪者の正当性についての判定結果を出力する判定結果出力部とを備え、来訪者の正当性についての判定は、前記撮像部によって撮像された画像と所有者証明画像とを比較した結果に基づいてサーバ装置において行われ、前記所有者証明画像は、登録者が所有する記憶媒体に記憶される所有者証明画像を少なくとも記憶する登録者テーブル記憶部から、前記読取部によって記憶媒体から読み取られた所定の情報に対応するものとして前記サーバ装置によって取得されるインターホン装置である。
【００１７】
本発明の一態様は、所有者に関する所有者関連情報を記憶する記憶媒体から情報を読み取る読取部と来訪者を撮像するように設けられる撮像部とを備えるインターホン子機と、インターホン親機とを備えるインターホン装置と接続されるサーバ装置であって、登録者が所有する記憶媒体に前記所有者関連情報として記憶される所有者証明画像を少なくとも記憶する登録者テーブル記憶部から、インターホン子機の読取部によって記憶媒体から読み取られた所定の情報に対応する所有者証明画像を取得する所有者関連情報取得部と、前記サーバ装置において、前記撮像部によって撮像された画像と、前記所有者関連情報取得部によって取得された所有者証明画像とを比較した結果に基づいて、来訪者の正当性を判定し、判定結果が前記インターホン親機にて出力されるように制御する正当性判定部とを備えるサーバ装置である。
【００１８】
本発明の一態様は、上記のサーバ装置であって、前記記憶媒体には、当該記憶媒体が正当なものであることを証明する正当性確認情報がさらに記憶されており、前記読取部によって記憶媒体から読み取られた正当性確認情報に基づいて、前記記憶媒体が正当であるか否かについて判定する記憶媒体正当性判定部をさらに備えてもよい。
【発明の効果】
【００１９】
以上説明したように、本発明によれば、インターホン装置による来訪者の正当性確認の確実性が高められるという効果が得られる。
【図面の簡単な説明】
【００２０】
【図１】第１実施形態におけるインターホンシステムの全体構成例を示す図である。
【図２】第１実施形態における個人証明カードが記憶する所有者関連情報の内容例を示す図である。
【図３】第１実施形態におけるインターホン親機の表示部に表示されるモニタ画像の位置例を示す図である。
【図４】第１実施形態におけるインターホン装置の構成例を示す図である。
【図５】第１実施形態におけるインターホン親機とインターホン子機とが実行する処理手順例を示すフローチャートである。
【図６】第２実施形態におけるインターホンシステムの全体構成例を示す図である。
【図７】第２実施形態における登録者テーブルの構造例を示す図である。
【図８】第２実施形態におけるインターホン親機と警備サーバとの構成例を示す図である。
【図９】第２実施形態におけるインターホン親機とインターホン子機と警備サーバとが実行する処理手順例を示すフローチャートである。
【図１０】第３実施形態におけるインターホン親機と警備サーバの構成例を示す図である。
【図１１】第３実施形態におけるインターホン親機とインターホン子機と警備サーバとが実行する処理手順例を示すフローチャートである。
【発明を実施するための形態】
【００２１】
＜第１実施形態＞
［インターホンシステムの全体構成例］
図１は、本実施形態におけるインターホンシステムの全体的な構成例を示している。本実施形態におけるインターホンシステムは、住宅１に設置されるインターホン装置１０を備える。本実施形態において、住宅１は、戸建てあってもよいしマンションの一室であってもよい。
【００２２】
本実施形態のインターホン装置１０は、インターホン親機１００とインターホン子機２００とを備える。インターホン親機１００は、住宅１の室内における所定の場所に設置され、インターホン子機２００は、住宅１の玄関における所定の場所に設置される。
インターホン親機１００とインターホン子機２００とは有線または無線によって通信が可能なように接続される。
【００２３】
インターホン親機１００の本体には、マイクロフォン１０４、スピーカ１０５、表示部１０６、通話ボタン１０７ａ、終了ボタン１０７ｂ及び解錠ボタン１０７ｃが備えられる。
【００２４】
マイクロフォン１０４は、住宅１の室内に居る居住者の通話音声を収音して音声信号を出力する。マイクロフォン１０４から出力された音声信号は、インターホン子機２００に送信され、インターホン子機２００のスピーカ２０７から出力される。
スピーカ１０５は、呼出音などの電子音や、インターホン子機２００から送信された来訪者の通話音声を音として出力する。
【００２５】
表示部１０６は、インターホン子機２００により撮像された来訪者の顔の画像を含むモニタ画像などを表示する。
【００２６】
通話ボタン１０７ａは、住宅１の室内に居る居住者が、インターホン親機１００を使用して、インターホン子機２００の側に居る来訪者と通話を開始するときに操作するボタンである。
終了ボタン１０７ｂは、居住者が来訪者との通話を終了させるときに操作するボタンである。
解錠ボタン１０７ｃは、住宅１の玄関のドアのドア錠４００を解錠するときに操作するボタンである。ドア錠４００は、例えば電子錠として構成されており、遠隔操作による解錠、施錠が可能である。
【００２７】
また、インターホン子機２００の本体には、呼出ボタン２０３、カードリーダ２０４、カメラ２０５、マイクロフォン２０６及びスピーカ２０７が備えられる。
呼出ボタン２０３は、来訪者が住宅１の室内の居住者を呼び出すために操作するボタンである。
カードリーダ２０４は、例えば非接触型通信により、通信距離内の個人証明カード３００に記憶された情報を読み出す。個人証明カード３００は、来訪者が所有しているカードであって、来訪者自身を証明する内容が記憶されたカード型の記憶媒体である。
【００２８】
カメラ２０５は、インターホン子機２００の前に立つ来訪者の顔を撮像するように設けられる。
マイクロフォン２０６は、来訪者の通話音声を収音して音声信号を出力する。マイクロフォン２０６から出力された音声信号は、インターホン親機１００に送信され、インターホン親機１００のスピーカ１０５から出力される。
スピーカ２０７は、インターホン親機１００から送信された居住者の通話音声を音として出力する。
【００２９】
［インターホンシステムの使用例］
図１を再度参照し、本実施形態のインターホンシステムの使用例について説明する。住宅１の玄関にまで赴いた来訪者は、住宅１の室内の居住者を呼び出すために、インターホン子機２００の呼出ボタン２０３を操作する。
呼出ボタン２０３が操作されると、インターホン親機１００のスピーカ１０５から呼出音が出力される。また、呼出ボタン２０３が操作されると、カメラ２０５による来訪者の撮像が開始される。カメラ２０５による撮像が開始されることに応じて、インターホン親機１００の表示部１０６においては、カメラ２０５により撮像された来訪者の画像（モニタ画像）が表示される。
つまり、インターホン子機２００において呼出ボタン２０３が操作されると、インターホン親機１００においては、呼出音の出力と、モニタ画像の表示とが開始される。なお、モニタ画像の表示については、居住者によるインターホン親機１００に対する所定操作に応じて表示が行われるようにしてもよい。
【００３０】
呼出音を聞いた居住者は、インターホン親機１００にまで赴いて、表示部１０６においてモニタ画像として表示されている来訪者の顔を確認する。
ここで、モニタ画像にて表示されている来訪者の顔が居住者の知人であったり顔見知りであったりするなどして、特に不審な点のないことが確認できた場合には、居住者は、通話ボタン１０７ａを操作する。
通話ボタン１０７ａが操作されることによって、インターホン親機１００側の居住者と、インターホン子機２００側の来訪者との通話が可能な通話モードとなる。つまり、インターホン親機１００のマイクロフォン１０４により収音された音声がインターホン子機２００のスピーカ２０７から出力され、インターホン子機２００のマイクロフォン２０６により収音された音声がインターホン親機１００のスピーカ１０５から出力される状態となる。
【００３１】
そして、居住者は、来訪者と会話して例えば用件を確認し、会話が終了したら終了ボタン１０７ｂを操作する。終了ボタン１０７ｂの操作に応じて、通話モードが終了される。また、インターホン子機２００でのカメラ２０５による撮像も終了されるので、これまで表示部１０６に表示されていたモニタ画像の表示も停止される。
【００３２】
そのうえで、居住者は、来訪者の用件を確認したところ、来訪者と会う必要がある場合には、玄関のドア錠４００を解錠して、来訪者と会う。この際、居住者は、例えばインターホン親機１００の解錠ボタン１０７ｃを操作して、ドア錠４００を解錠することができる。
【００３３】
一方、モニタ画像にて表示されている来訪者が例えば見知らぬ販売員のような者であって対応の必要がない場合、あるいは来訪者が明らかに不審であるような場合には、居住者は、通話ボタン１０７ａを操作することなく、そのまま放置してよい。この場合、インターホン親機１００においては、呼出音が出力されてから一定時間を経過すると、インターホン子機２００でのカメラ２０５による撮像が終了され、表示部１０６に表示されていたモニタ画像の表示が停止される。
【００３４】
また、例えば来訪者が宅配業者である場合などのように、顔見知りではないが来訪者と面会の必要があるような場合には、面会の前に防犯上から来訪者が正当な者であるかどうかを確認する必要がある。そこで、居住者は、まず、通話ボタン１０７ａを操作して、来訪者と通話を行い、例えば来訪者に身分や用件を口頭で伝えてもらう。ここでの身分とは、例えば来訪者が宅配業者を名乗った場合には、所属の宅配業者の名称などとなる。あるいは、例えば来訪者が役所、警察署、消防署などに所属する公務員であることを名乗った場合には、所属の役所、署の名称などとなる。
この場合、居住者は、来訪者に対して、来訪者が所有する個人証明カード３００に記憶されている情報をインターホン子機２００のカードリーダ２０４により読み込ませるように指示する。来訪者は、指示に応じて、自分が所有する個人証明カード３００をカードリーダ２０４にかざし、個人証明カード３００に記憶されている情報を読み込ませる。
【００３５】
ここで、図２を参照して、個人証明カード３００に記憶される情報（所有者関連情報）の内容例について説明する。同図に示されるように、個人証明カード３００においては、個人ＩＤ、氏名、住所、所属情報及び顔画像データが記憶される。
個人ＩＤは、対応の個人証明カード３００の所有者である個人を特定する識別子である。なお、個人証明カード３００は、個人ごとに与えられるものであることから、個人ＩＤは、個人証明カード３００ごとに固有である。
氏名は、対応の個人証明カード３００の所有者である個人の氏名である。
住所は、対応の個人証明カード３００の所有者である個人の住所である。
なお、例えば氏名と住所については、住民票に登録されているのと同じ内容が記憶される。
【００３６】
所属情報は、対応の個人証明カード３００の所有者である個人がどの団体に所属するのかを示す情報である。ここでの団体とは、企業、法人、学校などである。具体的に、例えば個人証明カード３００の所有者が、宅配業者としての企業に所属している（宅配業者としての企業の従業員である）場合には、所属情報には、宅配業者の企業名が含まれる。この場合において、所属情報には、宅配業者の企業名に加えて、さらに営業所名などが含まれてもよい。
顔画像データは、対応の個人証明カード３００の所有者である個人の顔を撮像した画像データである。また、顔画像データについては、人の顔の経年変化などを考慮して、有効期限が設定されるようにしてもよい。この場合、例えば有効期限を超過した顔画像データについては、本実施形態における来訪者の正当性確認にあたり無効である（正当性がない）として扱うようにすることができる。
また、個人情報保護の観点からは、個人証明カード３００に記憶される情報のうちで、個人の氏名、住所などではなく、所属情報などの他の情報を来訪者の正当性確認に使用することが好ましい。
【００３７】
なお、本実施形態の個人証明カード３００は、例えば公的機関が所定の制度などのもとで国民や地域住民などに向けて発行するようなものであってもよい。あるいは、個人証明カード３００は、宅配業の企業などが従業員に携帯させるために発行するようなものであってもよい。
【００３８】
本実施形態において、インターホン子機２００のカードリーダ２０４（読取部の一例）は、個人証明カード３００から、図２に示した個人ＩＤ、氏名、住所、所属情報及び顔画像データの情報を含む所有者関連情報を読み込む。インターホン子機２００は、カードリーダ２０４により読み込まれた所有者関連情報をインターホン親機１００に送信する。
【００３９】
インターホン親機１００はインターホン子機２００から送信された所有者関連情報を受信する。このとき、インターホン親機１００の表示部１０６には、インターホン子機２００のカメラ２０５により撮像して得られた来訪者の撮像画像がモニタ画像として表示されている。
インターホン親機１００は、インターホン子機２００から所有者関連情報を受信すると、来訪者の撮像画像とともに、受信された所有者関連情報を、さらにモニタ画像に含めるようにして表示する。
【００４０】
図３は、表示部１０６において、来訪者の撮像画像と所有者関連情報とが表示されたモニタ画像の一例を示している。
同図のモニタ画像においては、撮像画像エリアＡｒ１、カード顔画像エリアＡｒ２、氏名エリアＡｒ３及び所属情報エリアＡｒ４が配置されている。
【００４１】
撮像画像エリアＡｒ１には、インターホン子機２００のカメラ２０５により撮像された来訪者の撮像画像が表示される。
カード顔画像エリアＡｒ２には、インターホン子機２００から受信した所有者関連情報に含まれる顔画像データの画像が表示される。
氏名エリアＡｒ３には、インターホン子機２００から受信した所有者関連情報に含まれる氏名が表示される。
所属情報エリアＡｒ４には、インターホン子機２００から受信した所有者関連情報に含まれる所属情報が表示される。
【００４２】
なお、同図のモニタ画像においては、図２において示されていた住所についての表示は行われていない。即ち、モニタ画像においては、所有者関連情報における全ての情報が表示されなくともよい。なお、同図のモニタ画像に対して、さらに所有者関連情報における住所についても表示が行われるようにしてもよい。
【００４３】
まず、居住者は、同図のモニタ画像により、撮像画像エリアＡｒ１に表示される来訪者の撮像画像における顔と、カード顔画像エリアＡｒ２に表示される顔画像とが一致しているかどうかを確認することで、来訪者が、自分の個人証明カード３００をカードリーダ２０４に読み込ませたか否かを確認できる。
また、居住者は、同図のモニタ画像により、来訪者から通話越しに聞いた所属と、所属情報エリアＡｒ４に表示される所属とが一致しているかどうかを確認することができる。
また、居住者は、同図のモニタ画像により、来訪者から通話越しに聞いた氏名と氏名エリアＡｒ３に表示される氏名とが一致しているかどうかを確認することができる。
【００４４】
そして、居住者の確認の結果、画像の顔、所属、氏名がそれぞれ一致していれば、居住者は不審者ではないと判断することができる。この場合、居住者は、続けて来訪者と通話などを行って対応すればよい。
これに対して、画像の顔、所属、氏名のうちのいずれかが一致していないようであれば、来訪者は、例えば不正なかたちで入手したり改竄を行ったりした個人証明カード３００を利用して居住者と接触しようとする不審者である可能性が高い。この場合、居住者は、例えば不審者であるとして追い払うように対応したり、警備会社や警察機関に不審者が現れたことを通報するように対応することができる。
【００４５】
このように、本実施形態のインターホンシステムにおいては、来訪者に個人証明カード３００に記憶された所有者関連情報をインターホン子機２００のカードリーダ２０４に読み込ませてもらうようにしている。そして、読み込まれた所有者関連情報が、インターホン親機１００にて表示されるようにしている。
このように、来訪者が所有していた個人証明カード３００から読み込ませた所有者関連情報がインターホン親機１００にて表示されるようにすることで、居住者は、例えば来訪者について、不審者であるかどうかを的確に判断できることになる。つまり、本実施形態によっては、インターホン装置による来訪者の正当性確認の確実性を高めることができる。
【００４６】
また、本実施形態におけるインターホン親機１００は、インターホン子機２００から所有者関連情報を受信したことに応じて、受信された所有者関連情報を含む来訪者履歴情報を記憶する。
来訪者履歴情報は、図示は省略するが、例えば来訪者が来訪した来訪日時にインターホン子機２００から受信した所有者関連情報を対応付けた構造を有する。来訪日時については、対応の来訪者が住宅１に来訪していたときに対応する或る特定の日時が設定されればよい。一例として、来訪日時は、例えばインターホン子機２００にて行われた呼出ボタン２０３の操作に応じた呼出通知がインターホン親機１００にて受信されたときの日時であればよい。
また、例えば通話が行われた場合、来訪者履歴情報には通話を録音した音声データが含められてもよい。
【００４７】
このように来訪者履歴情報が記憶されることで、不審者が訪問したような場合には、不審者の情報が残ることになる。これにより、例えば居住者が警察機関に不審者の訪問を通報したような場合、インターホン親機１００に記憶されていた来訪者履歴情報を、警察機関が不審者を特定するにあたっての有効な証拠として利用することができる。
【００４８】
［インターホン装置の構成例］
図４を参照して、本実施形態におけるインターホン装置（インターホン親機１００、インターホン子機２００）の構成例について説明する。なお、同図において図１と同一部分には同一符号を付している。
【００４９】
まず、インターホン親機１００の構成から説明する。インターホン親機１００は、インターホン通信部１０１、制御部１０２、記憶部１０３、マイクロフォン１０４、スピーカ１０５、表示部１０６及び操作部１０７を備える。
【００５０】
インターホン通信部１０１は、インターホン子機２００と通信を行う。インターホン子機２００との通信は、有線であってもよいし無線であってもよい。
【００５１】
制御部１０２は、インターホン親機１００における各種制御を実行する。制御部１０２としての機能は、インターホン親機１００が備えるＣＰＵ（Central Processing Unit）がプログラムを実行することによって実現される。
本実施形態における制御部１０２は、機能部として、通話制御部１２１、表示制御部１２２、履歴管理部１２３及び解錠制御部１２４を備える。
【００５２】
通話制御部１２１は、インターホン子機２００との間での通話に関する制御を実行する。具体的に、通話制御部１２１は、マイクロフォン１０４により収音して得られた音声信号をインターホン子機２００に送信することで、居住者の話す声がインターホン子機２００にて音声として出力されるようにする。
また、通話制御部１２１は、インターホン子機２００から送信された音声信号をスピーカ１０５から出力させる制御を行う。これにより、居住者は、来訪者の話す声をスピーカ１０５から聞くことができる。
【００５３】
表示制御部１２２は、表示部１０６に画像を表示するための制御を行う。具体的に、表示制御部１２２は、インターホン子機２００から送信された来訪者の撮像画像がインターホン親機１００にて受信されると、受信された来訪者の撮像画像の画像信号を表示部１０６に表示させる。
また、表示制御部１２２は、カードリーダ２０４により読み取られた所有者関連情報を表示部１０６に表示させる。つまり、インターホン子機２００のカードリーダ２０４により読み取られた所有者関連情報は、インターホン子機２００からインターホン親機１００に送信される。インターホン親機１００にて所有者関連情報が受信されると、表示制御部１２２は、図３にて例示したように、来訪者の撮像画像とともに、受信された所有者関連情報における顔画像データ、住所、所属情報などを表示部１０６に表示させる。
【００５４】
履歴管理部１２３は、記憶部１０３に記憶される来訪者履歴情報を管理する。前述のように、インターホン子機２００のカードリーダ２０４により読み取られた所有者関連情報は、インターホン子機２００からインターホン親機１００に送信され、表示部１０６にて表示される。履歴管理部１２３は、インターホン親機１００にて所有者関連情報が受信されると、例えば前述のように来訪日時と受信された所有者関連情報とを含む来訪者履歴情報を、記憶部１０３の来訪者履歴情報記憶部１３１に記憶させる。
【００５５】
解錠制御部１２４は、ドア錠４００の解錠を制御する。つまり、解錠制御部１２４は、解錠ボタン１０７ｃ（図１）が操作されることに応じて、ドア錠４００が解錠された状態となるように制御する。また、解錠制御部１２４は、例えば操作や所定のトリガに応じて、解錠状態のドア錠４００を施錠するように制御してもよい。
【００５６】
記憶部１０３は、制御部１０２が利用する各種の情報を記憶する。例えばインターホン親機１００におけるＣＰＵが実行するプログラムのデータは記憶部１０３が記憶する。
本実施形態の記憶部１０３は、来訪者履歴情報記憶部１３１を備える。来訪者履歴情報記憶部１３１は、履歴管理部１２３の制御に応じて来訪者履歴情報を記憶する。
【００５７】
マイクロフォン１０４は、図１に示したように、居住者の音声を収音するためにインターホン親機１００の本体に設けられる。マイクロフォン１０４により収音された音声の音声信号は、前述のように、通話制御部１２１によってインターホン子機２００に送信され、音声として出力される。
【００５８】
スピーカ１０５は、例えば通話制御部１２１の制御に応じて、呼出音などの電子音の出力、インターホン子機２００から受信した来訪者の通話音声の出力などを行う。
表示部１０６は、表示制御部１２２の制御に応じて画像を表示する。
操作部１０７は、インターホン親機１００において備えられる操作子などを一括して示す。図１との対応では、操作部１０７は、例えば通話ボタン１０７ａ、終了ボタン１０７ｂ及び解錠ボタン１０７ｃなどを含む。
【００５９】
続いて、インターホン子機２００について説明する。インターホン子機２００は、インターホン通信部２０１、制御部２０２、呼出ボタン２０３、カードリーダ２０４、カメラ２０５、マイクロフォン２０６及びスピーカ２０７を備える。
【００６０】
インターホン通信部２０１は、インターホン親機１００と通信を行う。
【００６１】
制御部２０２は、インターホン子機２００における各種制御を実行する。制御部２０２としての機能は、インターホン子機２００が備えるＣＰＵがプログラムを実行することによって実現される。
本実施形態における制御部２０２は、機能部として、通話制御部２２１、カメラ制御部２２２及び送受信制御部２２３を備える。
【００６２】
通話制御部２２１は、インターホン親機１００との間での通話に関する制御を実行する。具体的に、通話制御部２２１は、マイクロフォン１０４により収音して得られた音声信号をインターホン親機１００に送信することで、来訪者の話す声がインターホン子機２００にて音声として出力されるようにする。
また、通話制御部２２１は、インターホン親機１００から送信された音声信号をスピーカ２０７から出力させる制御を行う。これにより、来訪者は、居住者の話す声をスピーカ２０７から聞くことができる。
【００６３】
カメラ制御部２２２は、カメラ２０５の撮像動作を制御する。カメラ２０５による撮像の開始、終了は、カメラ制御部２２２によって制御される。
【００６４】
送受信制御部２２３は、各種情報の送受信に関する制御を実行する。例えば、送受信制御部２２３は、カードリーダ２０４により読み取られた所有者関連情報をインターホン親機１００に送信する。
また、送受信制御部２２３は、カメラ２０５により撮像して得られた撮像画像の画像信号をインターホン親機１００に送信する。
また、送受信制御部２２３は、インターホン親機１００から送信される通話開始通知や通話終了通知などを受信する。
【００６５】
呼出ボタン２０３は、図１に示したようにインターホン子機２００の本体に備えられ、来訪者が居住者を呼び出す際に操作が行われるボタンである。送受信制御部２２３は、呼出ボタン２０３が操作されると、呼び出しが行われたことを通知する呼出通知をインターホン親機１００に送信する。
【００６６】
カードリーダ２０４は、個人証明カード３００に記憶されている所有者関連情報を読み取る部位である。カードリーダ２０４と個人証明カード３００との通信方式は、非接触式であっても接触式であってもよいが、本実施形態では非接触式である場合を例に挙げる。
【００６７】
カメラ２０５は、図１に示したように、来訪者を撮像するようにインターホン子機２００に設けられる撮像部である。
マイクロフォン２０６は、図１に示したように、来訪者の話す声を収音できるようにインターホン子機２００に設けられる。
スピーカ２０７は、図１に示したように、居住者の話す声が来訪者に聞こえるようにインターホン子機２００に設けられる。
【００６８】
［処理手順例］
図５のフローチャートを参照して、本実施形態におけるインターホン親機１００とインターホン子機２００とが実行する処理手順例について説明する。
まず、インターホン子機２００の処理について説明する。インターホン子機２００において、通話制御部２２１は、呼出操作が行われるのを待機する（ステップＳ１０１−ＮＯ）。ここでの呼出操作とは、呼出ボタン２０３に対する操作である。
【００６９】
呼出操作が行われると（ステップＳ１０１−ＹＥＳ）、送受信制御部２２３は、呼出通知をインターホン親機１００に送信する（ステップＳ１０２）。
また、呼出操作が行われたことに応じて、カメラ制御部２２２はカメラ２０５による撮像を開始させる。そこで、送受信制御部２２３は、カメラ２０５による撮像の開始に応じて得られる撮像画像のインターホン親機１００への送信を開始する（ステップＳ１０３）。
【００７０】
次に、送受信制御部２２３は、例えばステップＳ１０２による呼出通知の送信を行ってから一定時間内に、インターホン親機１００からの通話開始通知が受信されるのを待機する（ステップＳ１０４）。通話開始通知は、インターホン親機１００において通話ボタン１０７ａが操作されたことに応じてインターホン親機１００から送信される通知であって、通話の開始の許可を通知する情報である。
一定時間内に通話開始通知が受信された場合（ステップＳ１０４−ＹＥＳ）、通話制御部２２１は、通話に関する制御を開始する（ステップＳ１０５）。つまり、通話制御部２２１は、ステップＳ１０５以降において、インターホン親機１００から受信した音声をスピーカ２０７から出力させ、マイクロフォン２０６により収音して得られた音声信号がインターホン親機１００に送信されるように制御を行う。
【００７１】
また、通話制御が開始された後において、送受信制御部２２３は、個人証明カード３００に記憶された所有者関連情報の読み取りがカードリーダ２０４によって行われたか否かについて判定を行う（ステップＳ１０６）。ステップＳ１０６の処理は、例えば後述のステップＳ１０７にて通話終了通知の受信されたことが判定されるまで、一定時間ごとに行われる。
所有者関連情報の読み取りがカードリーダ２０４によって行われた場合（ステップＳ１０６−ＹＥＳ）、送受信制御部２２３は、カードリーダ２０４によって読み取られた所有者関連情報を、インターホン親機１００に送信する（ステップＳ１０７）。
【００７２】
通話開始通知が受信されずに一定時間を経過したことが判定された場合（ステップＳ１０４−ＮＯ）、またはステップＳ１０７による所有者関連情報の送信が完了した場合、通話制御部２２１は、インターホン親機１００からの通話終了通知が受信されたか否かについて判定する（ステップＳ１０８）。
通話終了通知は、インターホン親機１００において終了ボタン１０７ｂが操作されたことに応じてインターホン親機１００から送信される通知であって、通話の終了を通知する情報である。
【００７３】
通話終了通知が受信されないことが判定された場合（ステップＳ１０８−ＮＯ）、通話制御部２２１は、ステップＳ１０６に処理を戻す。これにより、通話終了通知が受信されるまでは、インターホン親機１００とインターホン子機２００との間での通話が可能な状態が維持される。また、通話が可能な状態のもとで、カードリーダ２０４による個人証明カード３００からの所有者関連情報の読み取りが行われた場合には、所有者関連情報のインターホン親機１００への送信が行われる。
【００７４】
なお、個人証明カード３００からの所有者関連情報の読み取りと、読み取った所有者関連情報のインターホン親機１００への送信は、１回の通話に対応して１回行われればよい。
このため、例えば個人証明カード３００からの所有者関連情報の読み取りが行われた後においても通話が継続されている状態のもとでは、２回目以降のカードリーダ２０４による所有者関連情報の読み取りが無効となるようにされてもよい。
所有者関連情報の読み取りの無効化にあたっては、例えばカードリーダ２０４による情報の読み取りが行われないように制御してもよいし、送受信制御部２２３が、カードリーダ２０４により読み込まれた所有者関連情報を入力しないようにしてもよい。
【００７５】
一方、通話終了通知が受信された場合（ステップＳ１０８−ＹＥＳ）、通話制御部２２１はステップＳ１０５により開始した通話制御を終了する（ステップＳ１０９）。
【００７６】
また、一定時間内に通話開始通知が受信されなかった場合（ステップＳ１０４−ＮＯ）、または、上記のステップＳ１０９により通話制御が終了された後において、以下の処理が行われる。
つまり、送受信制御部２２３は、これまでの撮像画像のインターホン親機１００への送信を終了させる（ステップＳ１１０）。カメラ制御部２２２は、ステップＳ１０９による撮像画像のインターホン親機１００への送信の終了に伴い、カメラ２０５による撮像を終了させる。
【００７７】
次に、インターホン親機１００の処理について説明する。インターホン子機２００がステップＳ１０２により送信した呼出通知がインターホン親機１００にて受信されると、通話制御部１２１は、スピーカ１０５から呼出音を出力させる（ステップＳ２０１）。
また、インターホン子機２００からは、呼出通知に続けて、カメラ２０５により撮像して得られた撮像画像が送信されてくる。そこで、表示制御部１２２は、受信された撮像画像を含むモニタ画像が表示部１０６にて表示されるように制御を開始する（ステップＳ２０２）。
【００７８】
呼出通知の受信に応じて呼出音の出力とモニタ画像の表示を開始させた状態のもとで、通話制御部１２１は、例えば呼出通知が受信されたタイミングから一定時間以内に通話開始操作が行われるのを待機する（ステップＳ２０３）。ここでの通話開始操作とは、通話ボタン１０７ａに対する操作である。
【００７９】
一定時間内に通話開始操作が行われた場合（ステップＳ２０３−ＹＥＳ）、通話制御部１２１は、通話開始通知をインターホン子機２００に送信する（ステップＳ２０４）。
また、通話制御部１２１は、通話制御を開始する（ステップＳ２０５）。つまり、通話制御部１２１は、ステップＳ２０５以降において、インターホン子機２００から受信した音声をスピーカ１０５から出力させ、マイクロフォン１０４により収音して得られた音声信号がインターホン子機２００に送信されるように制御を行う。
【００８０】
通話制御が開始されて以降、表示制御部１２２は、インターホン子機２００にて個人証明カード３００から読み取られた所有者関連情報が受信されるのを待機している（ステップＳ２０６）。
ステップＳ２０６の判定処理は、例えば後述のステップＳ２０８にて通話終了操作の行われたことが判定されるまでにおいて一定時間ごとに行われる。なお、ステップＳ２０６において、一旦、所有者関連情報が受信されたことが判定されたのであれば、その後において通話が終了するまでの間は、ステップＳ２０６の処理を実行することなく、ステップＳ２０８により通話終了となるのを待機すればよい。
【００８１】
所有者関連情報の受信されたことが判定された場合（ステップＳ２０６−ＹＥＳ）、表示制御部１２２は、受信された所有者関連情報をモニタ画像に含めるようにして表示させる（ステップＳ２０７）。これにより、表示部１０６において表示されるモニタ画像は、例えばカメラ２０５による撮像画像のみが表示されていた状態から、図３に例示したように、撮像画像と所有者関連情報（顔画像データ、氏名、所属情報）とが表示された状態となる。
【００８２】
所有者関連情報が受信されなかった場合（ステップＳ２０６−ＮＯ）、またはステップＳ２０７の処理を終了した後、通話制御部１２１は、通話終了操作が行われたか否かについて判定する（ステップＳ２０８）。ここでの通話終了操作は、終了ボタン１０７ｂに対する操作である。
通話終了操作の行われないことが判定された場合（ステップＳ２０８−ＮＯ）、通話制御部１２１は、ステップＳ２０６に処理を戻す。
【００８３】
一方、通話終了操作の行われたことが判定された場合（ステップＳ２０８−ＹＥＳ）、通話制御部１２１は、インターホン子機２００に対して通話終了通知を送信する（ステップＳ２０９）。
また、通話制御部１２１は、ステップＳ２０５により開始した通話制御を終了させる（ステップＳ２１０）。
また、履歴管理部１２３は、ステップＳ２０６に応じて所有者関連情報が受信されている場合には、受信された所有者関連情報を含む来訪者履歴情報を、来訪者履歴情報記憶部１３１に記憶させる（ステップＳ２１１）。
なお、ステップＳ２０６に応じて所有者関連情報が受信されていない場合であっても、例えば、インターホン子機２００から受信したカメラ２０５の撮像画像や通話音声などを含む来訪者履歴情報がステップＳ２１１にて記憶されるようにしてよい。
【００８４】
一定時間内に通話開始操作が行われなかった場合（ステップＳ２０３−ＮＯ）、または上記のステップＳ２１１の処理を行った後において、表示制御部１２２は、これまで行っていたモニタ画像の表示を終了させる（ステップＳ２１２）。
【００８５】
＜第２実施形態＞
［インターホンシステムの全体構成例］
続いて、第２実施形態について説明する。図６は、本実施形態におけるインターホンシステムの全体的な構成例を示している。なお、同図において図１と同一部分には同一符号を付して説明を省略する。
【００８６】
同図のインターホンシステムにおいては、インターホン親機１００Ａとインターホン子機２００Ａとによりインターホン装置１０Ａが構成される。
インターホン親機１００Ａは、警備サーバ５００（サーバ装置の一例）と通信可能に接続される。インターホン親機１００Ａと警備サーバ５００とは、例えばネットワークを介して接続される。警備サーバ５００は、例えば警備会社が運営するサーバであって、複数の住宅におけるインターホン親機１００Ａと接続されている。
【００８７】
本実施形態の警備サーバ５００には、例えば宅配業者や公務員（郵便局員、警察官、消防署員など）などのように、例えば業務として住宅を訪問する可能性のある個人ごとについての所有者関連情報を記憶している。つまり、警備サーバ５００には、宅配業者や公務員等としての個人がそれぞれ所有する個人証明カード３００に記憶されているのと同じ所有者関連情報が記憶（登録されている）。
なお、以降において、警備サーバ５００に自分の所有者関連情報が記憶（登録）されている個人については、「登録者」と呼ぶ。また、警備サーバ５００が記憶する登録者ごとの所有者関連情報については登録者テーブルと呼ぶ。
【００８８】
図７は、警備サーバ５００が記憶する登録者テーブルの構造例を示している。登録者テーブルにおける１つの行（レコード）が一人の登録者に対応する所有者関連情報である。同図の登録者テーブルにおいては、登録者ごとに対応して、個人ＩＤ、氏名、所属情報及び顔画像データを含む所有者関連情報が格納されている。
なお、登録者テーブルの所有者関連情報には、例えば住所などのように、個人証明カード３００に記憶されている他の情報がさらに含まれてもよい。
【００８９】
［インターホンシステムの使用例］
本実施形態におけるインターホンシステムの使用例について説明する。本実施形態においても、第１実施形態と同様に、来訪者は、インターホン子機２００Ａの呼出ボタン２０３を操作して居住者を呼び出すことで、インターホン親機１００Ａにおいては呼出音が出力され、来訪者の撮像画像の表示が開始される。そして、居住者が呼び出しに応じて通話ボタン１０７ａを操作することで、来訪者と居住者との通話が可能になる。
そして、居住者は、来訪者の身分を確認したい場合には、来訪者に、インターホン子機２００Ａのカードリーダ２０４により個人証明カード３００の所有者関連情報を読み取らせるようにする。
【００９０】
本実施形態におけるインターホン子機２００Ａは、個人証明カード３００から所有者関連情報として、個人ＩＤのみを取得すればよい。この際、カードリーダ２０４により個人証明カード３００から個人ＩＤのみを読み取るようにしてもよいし、カードリーダ２０４が読み取った所有者関連情報のうちから、制御部２０２が個人ＩＤのみを選別して取得するようにしてもよい。
そして、インターホン子機２００Ａは、上記のように取得した個人ＩＤをインターホン親機１００Ａに送信する。インターホン親機１００Ａは、受信した個人ＩＤを含む登録者問合せ要求を警備サーバ５００に送信する。
【００９１】
なお、上記の説明では、インターホン子機２００Ａにて個人証明カード３００から取得した個人ＩＤに基づき、インターホン親機１００Ａが登録者問合せ要求を警備サーバ５００に送信するようにしている。しかし、例えばインターホン子機２００Ａと警備サーバ５００とについても通信可能に接続して、インターホン子機２００Ａから警備サーバ５００に対して個人ＩＤを含む登録者問合せ要求が送信されるようにしてもよい。
【００９２】
警備サーバ５００は、受信された登録者問合せ要求に含まれる個人ＩＤを検索キーとして、登録者テーブルから所有者関連情報を検索する。ここで、受信された個人ＩＤが登録者のものであれば、受信された個人ＩＤを含む所有者関連情報が登録者テーブルから検索される。一方、受信された個人ＩＤが登録者のものでなければ、所有者関連情報は登録者テーブルから検索されない。
警備サーバ５００は、所有者関連情報が検索された場合には、検索された所有者関連情報をインターホン親機１００Ａに送信する。一方、警備サーバ５００は、所有者関連情報が検索されなかった場合には、来訪者に対応する所有者関連情報が登録者テーブルに格納されていないことを示す未登録通知をインターホン親機１００Ａに送信する。
即ち、インターホン親機１００Ａは、送信した登録者問合せ要求に対する応答として、所有者関連情報と未登録通知とのいずれかを受信する。
【００９３】
インターホン親機１００Ａは、登録者問合せ要求に対する応答として所有者関連情報を受信した場合には、受信された所有者関連情報を利用して、例えば図３に例示したように、撮像画像と所有者関連情報（顔画像データ、氏名、所属情報など）とが表示されたモニタ画像を表示させる。
一方、インターホン親機１００Ａは、登録者問合せ要求に対する応答として未登録通知を受信した場合には、モニタ画像において、来訪者の所有者関連情報が警備サーバ５００の登録者でないことを居住者に通知するメッセージを表示する。
【００９４】
居住者は、モニタ画像に所有者関連情報が表示された場合には、例えば来訪者の撮像画像と、所有者関連情報の顔画像データの画像とを比較したり、モニタ画像に表示された所属情報、氏名などを確認し、来訪者が不審者であるかどうかを確認できる。
また、モニタ画像に、来訪者が登録者ではない旨のメッセージが表示された場合、居住者は、例えば不審者であるかどうかを改めて確認することができる。
【００９５】
［インターホンシステムの構成例］
続いて、図８を参照して、本実施形態におけるインターホンシステムの構成例について説明する。なお、同図において、図４と同一部分については同一符号を付して説明を省略する。同図においては、インターホン親機１００Ａと警備サーバ５００とが示されている。インターホン子機２００Ａについては、図４と同様の構成となることから、同図での図示は省略している。
【００９６】
本実施形態におけるインターホン親機１００Ａの制御部１０２においては、機能部として、通話制御部１２１、表示制御部１２２及び解錠制御部１２４が備えられる。即ち、本実施形態の制御部１０２においては、図４に示した履歴管理部１２３が省略されている。
また、履歴管理部１２３が省略されたことに伴って、記憶部１０３においては、図４に示した来訪者履歴情報記憶部１３１が省略されている。
【００９７】
また、インターホン親機１００Ａは、サーバ通信部１０８を備える。サーバ通信部１０８は、警備サーバ５００と通信を行う。
【００９８】
警備サーバ５００は、通信部５０１、制御部５０２及び記憶部５０３を備える。
通信部５０１は、インターホン親機１００Ａと通信を行う。
制御部５０２は、警備サーバ５００における各種制御を実行する。制御部５０２としての機能は、警備サーバ５００が備えるＣＰＵがプログラムを実行することにより実現される。
本実施形態の制御部５０２は、機能部として、所有者関連情報取得部５２１と、情報送信制御部５２２とを備える。
【００９９】
所有者関連情報取得部５２１は、記憶部５０３における登録者テーブル記憶部５３１から、インターホン子機２００Ａにおけるカードリーダ２０４によって個人証明カード３００から読み取られた個人ＩＤ（所定の情報の一例）に対応する所有者関連情報を取得する。
情報送信制御部５２２は、所有者関連情報取得部５２１により取得された所有者関連情報を、インターホン親機１００Ａにおける表示部１０６において表示されるように送信する。
【０１００】
記憶部５０３は、制御部５０２が利用する各種の情報を記憶する。本実施形態の記憶部５０３は、登録者テーブル記憶部５３１を備える。登録者テーブル記憶部５３１は、図７に示した登録者テーブルを記憶する。
なお、登録者テーブル記憶部５３１は、例えば警備サーバ５００がアクセス可能であれば、警備サーバ５００の外部において、例えば独立したストレージ装置などとして設けられてもよい。
【０１０１】
［処理手順例］
続いて、図９のフローチャートを参照して、本実施形態のインターホンシステムにおけるインターホン親機１００Ａ、インターホン子機２００Ａ及び警備サーバ５００が実行する処理手順例について説明する。
まず、インターホン子機２００Ａの処理手順例について説明する。インターホン子機２００Ａが実行するステップＳ３０１〜Ｓ３０６、Ｓ３０８〜Ｓ３１０の処理は、それぞれ、図５のステップＳ１０１〜Ｓ１０６、Ｓ１０８〜Ｓ１１０と同様でよい。
【０１０２】
本実施形態のステップＳ３０７において、インターホン子機２００Ａの送受信制御部２２３は、ステップＳ３０６に対応して個人証明カード３００から読み込まれた所有者関連情報のうち、個人ＩＤをインターホン親機１００に送信すればよい。
【０１０３】
次に、インターホン親機１００Ａが実行する処理手順例について説明する。同図において、ステップＳ４０１〜Ｓ４０５の処理は、それぞれ、図５におけるステップＳ２０１〜Ｓ２０５の処理と同様でよい。
【０１０４】
ステップＳ４０５により通話制御が開始されて以降、表示制御部１２２は、インターホン子機２００Ａにて個人証明カード３００から読み取られた個人ＩＤが受信されるのを待機する（ステップＳ４０６）。
ステップＳ４０６の判定処理は、ステップＳ４０９にて通話終了操作の行われたことが判定されるまでにおいて一定時間ごとに行われる。なお、ステップＳ４０６において、一旦、個人ＩＤが受信されたことが判定されたのであれば、その後において通話が終了するまでの間は、ステップＳ４０６の処理を実行することなく、ステップＳ４０９により通話終了となるのを待機すればよい。
【０１０５】
個人ＩＤの受信されたことが判定された場合（ステップＳ４０６−ＹＥＳ）、表示制御部１２２は、登録者問合せ要求を送信する（ステップＳ４０７）。登録者問合せ要求は、警備サーバ５００に対して、今回の来訪者が警備サーバ５００に登録されている登録者であるか否かを問合わせる要求である。問合せ要求には、ステップＳ４０６に対応してインターホン子機２００Ａから受信された個人ＩＤが含まれる。
【０１０６】
登録者問合せ要求に応答して、警備サーバ５００は、登録者問合せ要求に含まれる個人ＩＤを含む所有者関連情報を登録者テーブル記憶部５３１から検索し、検索結果をインターホン親機１００Ａに送信してくる。検索結果としては、前述のように、登録者テーブル記憶部５３１から登録者問合せ要求に含まれる個人ＩＤを含む所有者関連情報が検索された場合には、検索された所有者関連情報である。これに対して、所有者関連情報が検索されなかった場合には未登録通知が検索結果として送信される。
【０１０７】
そこで、表示制御部１２２は、警備サーバ５００から受信した検索結果をモニタ画像に表示させる（ステップＳ４０８）。
具体的に、表示制御部１２２は、登録者問合せ要求に対する応答として所有者関連情報を受信した場合には、ステップＳ４０８として、受信された所有者関連情報を利用して、図３に例示したように、撮像画像と所有者関連情報（顔画像データ、氏名、所属情報など）とが表示されたモニタ画像を表示させる。
一方、表示制御部１２２は、登録者問合せ要求に対する応答として未登録通知を受信した場合には、ステップＳ４０８として、来訪者が警備サーバ５００に登録されていない者であることを報知するメッセージをモニタ画像において表示させる。
【０１０８】
個人ＩＤが受信されなかった場合（ステップＳ４０６−ＮＯ）、またはステップＳ４０８の処理を行った後、通話制御部１２１は、通話終了操作が行われたか否かについて判定する（ステップＳ４０９）。通話終了操作の行われないことが判定された場合（ステップＳ４０９−ＮＯ）、通話制御部１２１は、ステップＳ４０６に処理を戻す。
一方、通話終了操作の行われたことが判定された場合（ステップＳ４０９−ＹＥＳ）、ステップＳ４１０以降の処理が行われる。
ステップＳ４１０〜Ｓ４１２の処理は、図５のステップＳ２１０〜Ｓ２１２と同様である。
【０１０９】
続いて、警備サーバ５００が実行する処理手順例について説明する。
警備サーバ５００において、所有者関連情報取得部５２１は、インターホン親機１００から送信された登録者問合せ要求が受信されるのを待機している（ステップＳ５０１−ＮＯ）。
所有者関連情報取得部５２１は、登録者問合せ要求が受信されると（ステップＳ５０１−ＹＥＳ）、受信された登録者問合せ要求に含まれる個人ＩＤを含む所有者関連情報を登録者テーブル記憶部５３１から検索する（ステップＳ５０２）。
情報送信制御部５２２は、ステップＳ５０２の検索結果を送信する（ステップＳ５０３）。検索結果は、前述のように、所有者関連情報が検索された場合には検索された所有者関連情報であり、所有者関連情報が検索されなかった場合には、未登録通知である。
【０１１０】
＜第３実施形態＞
［インターホンシステムの全体構成例］
続いて、第３実施形態について説明する。第３実施形態におけるインターホンシステムの全体構成は図６に示される。即ち、本実施形態のインターホンシステムは、インターホン親機１００Ｂ及びインターホン子機２００Ｂを備えるインターホン装置１０Ｂと、警備サーバ５００Ｂとを備える。
【０１１１】
［インターホンシステムの使用例］
本実施形態におけるインターホンシステムの使用例について説明する。本実施形態においても、先の各実施形態と同様に、来訪者は、インターホン子機２００Ｂの呼出ボタン２０３を操作して居住者を呼び出す。これに応じて、インターホン親機１００Ｂにおいては呼出音が出力され、来訪者の撮像画像の表示が開始される。そして、居住者が呼び出しに応じて通話ボタン１０７ａを操作することで、来訪者と居住者との通話が可能になる。
そして、居住者は、来訪者の身分を確認したい場合には、来訪者にインターホン子機２００Ｂのカードリーダ２０４により個人証明カード３００の所有者関連情報を読み取らせてもらうようにする。
【０１１２】
本実施形態におけるインターホン子機２００Ｂは、個人証明カード３００から読み取った所有者関連情報として個人ＩＤを取得する。また、本実施形態における個人証明カード３００には、個人証明カード３００自体の正当性を証明する情報としてチェックディジット（ＣＤ）が記憶されている。本実施形態におけるインターホン子機２００Ｂは、さらに、個人証明カード３００からチェックディジットについても読み出しを行う。
【０１１３】
そして、インターホン子機２００Ｂは、上記のように取得した個人ＩＤとチェックディジットとを、インターホン親機１００Ｂに送信する。インターホン親機１００Ｂは、受信した個人ＩＤとチェックディジットと、さらに、インターホン子機２００Ｂから送信された或る時刻の撮像画像（例えばフレーム画像）とを含む登録者問合せ要求を警備サーバ５００に送信する。
【０１１４】
警備サーバ５００Ｂは、例えばまず、受信された登録者問合せ要求に含まれるチェックディジットを利用して、インターホン子機２００Ｂにより読み取りが行われた個人証明カード３００が正当なものであるか否かの判定を行う。例えば、個人証明カード３００が改竄や模造などされた偽のものである場合には、チェックディジットを用いた所定の演算によって得られる値について誤りが生じる。
ここで、個人証明カード３００が正当なものではないと判定された場合、来訪者は不正な個人証明カード３００を所有していることになり、正当な者ではないということになる。この場合、警備サーバ５００Ｂは、例えば個人証明カード３００が不正なものであるとの理由で来訪者が不正な者であることを示す正当性判定結果をインターホン親機１００Ｂに送信する。
【０１１５】
一方、個人証明カード３００について正当なものであると判定された場合、警備サーバ５００Ｂは、さらに、受信された登録者問合せ要求に含まれる個人ＩＤを検索キーとして、登録者テーブルから対応の所有者関連情報に含まれる顔画像データを検索する。
この場合にも、受信された個人ＩＤが登録者のものであれば、登録者テーブルから受信された個人ＩＤに対応する顔画像データが検索される。一方、受信された個人ＩＤが登録者のものでなければ、登録者テーブルから顔画像データは検索されない。
【０１１６】
警備サーバ５００Ｂは、顔画像データが検索された場合には、検索された顔画像データにおける顔の画像と、受信された登録者問合せ要求に含まれていた撮像画像における顔の画像とを比較する。顔画像データにおける顔の画像と撮像画像における顔の画像とが一致するとの比較結果が得られたのであれば、来訪者は、登録者テーブルに登録されている登録者であることになる。そこで、この場合の警備サーバ５００は、来訪者が正当なものであることを示す正当性判定結果をインターホン親機１００Ｂに送信する。
一方、顔画像データにおける顔の画像と撮像画像における顔の画像とが一致しないとの比較結果が得られた場合、警備サーバ５００は、所有者関連情報が登録者テーブルに格納されていないという理由により正当な者ではないことを示す正当性判定結果をインターホン親機１００Ｂに送信する。
【０１１７】
インターホン親機１００Ｂは、上記のように警備サーバ５００から送信される正当性判定結果を受信すると、モニタ画像において、受信された正当性判定結果の内容が居住者に提示されるように表示を行う。
居住者は、表示された正当性判定結果を見ることによって、来訪者が正当な者であるか否かを知ることができる。
【０１１８】
［インターホンシステムの構成例］
続いて、図１０を参照して、本実施形態におけるインターホンシステムの構成例について説明する。なお、同図において、図１０と同一部分については同一符号を付して説明を省略する。同図においては、インターホン親機１００Ｂと警備サーバ５００Ｂとが示されている。インターホン子機２００Ｂについては、図４と同様の構成となることから、同図での図示は省略している。
【０１１９】
本実施形態におけるインターホン親機１００Ｂの制御部１０２においては、機能部として、通話制御部１２１、表示制御部１２２Ｂ及び解錠制御部１２４が備えられる。
表示制御部１２２Ｂは、判定結果出力部としての機能を含む。判定結果出力部としての表示制御部１２２Ｂは、来訪者の正当性についての判定結果を出力する。即ち、本実施形態における判定結果出力部は、来訪者の正当性についての判定結果を表示により出力する。
【０１２０】
警備サーバ５００Ｂにおいて、制御部５０２は、所有者関連情報取得部５２１と、正当性判定部５２３と、カード正当性判定部５２４（記憶媒体正当性判定部の一例）と備える。
正当性判定部５２３は、カメラ２０５によって撮像された画像と、所有者関連情報取得部５２１によって取得された顔画像データ（所有者証明画像の一例）とを比較した結果に基づいて、来訪者の正当性を判定する。
カード正当性判定部５２４は、カードリーダ２０４によって個人証明カード３００から読み取られたチェックディジット（正当性確認情報の一例）に基づいて、個人証明カード３００が正当であるか否かについて判定する。
【０１２１】
［処理手順例］
続いて、図１１のフローチャートを参照して、本実施形態のインターホンシステムにおけるインターホン親機１００Ｂ、インターホン子機２００Ｂ及び警備サーバ５００Ｂが実行する処理手順例について説明する。
まず、インターホン子機２００Ｂの処理手順例について説明する。インターホン子機２００Ｂが実行するステップＳ６０１〜Ｓ６０６、Ｓ６０８〜Ｓ６１０の処理は、それぞれ、図５のステップＳ１０１〜Ｓ１０６、Ｓ１０８〜Ｓ１１０と同様でよい。
【０１２２】
本実施形態のステップＳ６０７において、インターホン子機２００Ｂの送受信制御部２２３は、ステップＳ６０６に対応して個人証明カード３００から読み込まれたチェックディジットと、所有者関連情報のうちの個人ＩＤとをインターホン親機１００Ｂに送信する。
【０１２３】
次に、インターホン親機１００Ｂが実行する処理手順例について説明する。同図において、ステップＳ７０１〜Ｓ７０５の処理は、それぞれ、図５におけるステップＳ２０１〜Ｓ２０５の処理と同様でよい。
【０１２４】
ステップＳ７０５により通話制御が開始されて以降、表示制御部１２２は、インターホン子機２００Ｂにて個人証明カード３００から読み取られたチェックディジットと個人ＩＤが受信されるのを待機している（ステップＳ７０６）。
ステップＳ７０６の判定処理は、ステップＳ７０９にて通話終了操作の行われたことが判定されるまでにおいて一定時間ごとに行われる。なお、ステップＳ７０６において、一旦、個人ＩＤが受信されたことが判定されたのであれば、その後において通話が終了するまでの間は、ステップＳ７０６の処理を実行することなく、ステップＳ７０９により通話終了となるのを待機すればよい。
【０１２５】
チェックディジット及び個人ＩＤの受信されたことが判定された場合（ステップＳ７０６−ＹＥＳ）、表示制御部１２２は、登録者問合せ要求を送信する（ステップＳ７０７）。
本実施形態における登録者問合せ要求には、前述のように、ステップＳ７０６に対応してインターホン子機２００Ｂから受信されたチェックディジットと個人ＩＤとに加え、インターホン子機２００Ｂから受信した或る時刻における撮像画像が含まれる。
なお、登録者問合せ要求に含める撮像画像については、例えば撮像画像の受信が開始されてから現在までにおいて、顔の写り方が最も良好であると判断される撮像画像のフレーム画像を選択するようにしてもよい。これにより、警備サーバ５００Ｂでの正当性判定における画像の比較処理の精度を高めることができる。
【０１２６】
登録者問合せ要求に応答して、警備サーバ５００Ｂは、前述のように、来訪者が正当な者であるか否かを示す正当性判定結果を送信してくる。
そこで、表示制御部１２２は、警備サーバ５００Ｂから受信した正当性判定結果の内容をモニタ画像に表示させる（ステップＳ７０８）。
【０１２７】
チェックディジット及び個人ＩＤが受信されなかった場合（ステップＳ７０６−ＮＯ）、またはステップＳ７０８の処理を行った後、通話制御部１２１は、通話終了操作が行われたか否かについて判定する（ステップＳ７０９）。通話終了操作の行われないことが判定された場合（ステップＳ７０９−ＮＯ）、通話制御部１２１は、ステップＳ７０６に処理を戻す。
一方、通話終了操作の行われたことが判定された場合（ステップＳ７０９−ＹＥＳ）、ステップＳ７１０以降の処理が行われる。
ステップＳ７１０〜Ｓ７１２の処理は、図５のステップＳ２１０〜Ｓ２１２と同様である。
【０１２８】
続いて、警備サーバ５００Ｂが実行する処理手順例について説明する。
警備サーバ５００Ｂにおいて、カード正当性判定部５２４は、インターホン親機１００から送信された登録者問合せ要求が受信されるのを待機している（ステップＳ８０１−ＮＯ）。
カード正当性判定部５２４は、登録者問合せ要求が受信されると（ステップＳ８０１−ＹＥＳ）、受信された登録者問合せ要求に含まれるチェックディジットを利用して、インターホン子機２００Ｂのカードリーダ２０４による読み取りの対象とされた個人証明カード３００についての正当性を判定する（ステップＳ８０２）。
【０１２９】
そして、カード正当性判定部５２４は、ステップＳ８０２の処理の結果が、今回の読み取り対象の個人証明カード３００が正当なものであることを示すかについて判定する（ステップＳ８０３）。
個人証明カード３００が正当なものであることを示していた場合（ステップＳ８０３−ＹＥＳ）、所有者関連情報取得部５２１は、受信された登録者問合せ要求に含まれる個人ＩＤを含む所有者関連情報を登録者テーブル記憶部５３１から検索する（ステップＳ８０４）。
【０１３０】
次に、正当性判定部５２３は、来訪者の正当性を判定する（ステップＳ８０５）。ステップＳ８０５による来訪者の正当性判定は、前述のように、ステップＳ８０４により検索された所有者関連情報に含まれる顔画像データにおける顔の部分と、受信された登録者問合せ要求に含まれていた撮像画像における顔の部分とを比較することによって行われる。また、ステップＳ８０４による検索の結果、登録者問合せ要求に含まれる個人ＩＤを含む所有者関連情報が検索されなかった場合には、来訪者が正当ではないとの判定結果となる。
【０１３１】
ステップＳ８０５の処理の後、あるいは個人証明カード３００が正当なものではないと判定された場合（ステップＳ８０３−ＮＯ）、正当性判定部５２３によって正当性判定結果がインターホン親機１００Ｂに対して送信される（ステップＳ８０６）。
【０１３２】
ステップＳ８０６の処理にあたり、正当性判定部５２３は、ステップＳ８０３により正当な個人証明カード３００でないと判定された場合、前述のように、個人証明カード３００が不正なものであるとの理由で来訪者が正当な者ではないことを示す正当性判定結果を送信する。
また、正当性判定部５２３は、ステップＳ８０５により正当な来訪者であることが判定された場合には、来訪者が正当なものであることを示す正当性判定結果を送信する。また、ステップＳ８０５により正当な来訪者ではないことが判定された場合には、前述のように、所有者関連情報が登録者テーブルに格納されていないという理由により来訪者が正当な者ではないことを示す正当性判定結果を送信する。
【０１３３】
なお、個人証明カード３００自体の正当性を証明する情報としては、例えば、チェックディジットに限定されるものではない。例えば、個人証明カード３００に所定の暗号文または暗号鍵などを正当性を証明する情報として記憶させておき、暗号文または暗号鍵を利用した暗号が解読できるか否かにより個人証明カード３００自体の正当性を判定するようにしてもよい。
【０１３４】
＜変形例＞
以下、本実施形態の変形例について説明する。
第２実施形態と第３実施形態においては、個人証明カード３００から読み取った個人ＩＤを検索キーとして、登録者テーブルから所有者関連情報を検索するようにしていた。しかし、登録者テーブルから所有者関連情報を検索するにあたっての検索キーとしては、個人証明カード３００に記憶される個人証明カード３００に固有の情報であればよく、個人ＩＤに限定されない。
一例として、上記の検索キーとして使用できる情報として、個人証明カード３００における通信デバイスなどが備える物理アドレスとすることが考えられる。この場合には、登録者テーブルにおいて、登録者ごとの所有者関連情報に、対応の個人証明カード３００の物理アドレスを含めるようにすればよい。
【０１３５】
また、例えば、第２実施形態と第３実施形態とにおいても、インターホン親機１００Ａ、１００Ｂにおいて履歴管理部を備え、カードリーダ２０４により個人証明カード３００から読み取った所有者関連情報を取得し、取得した所有者関連情報を含む来訪者履歴情報を来訪者履歴情報記憶部に記憶させるようにしてもよい。
【０１３６】
また、第２実施形態と第３実施形態のように警備サーバ５００、５００Ｂを備える構成のもとでは、警備サーバ５００、５００Ｂに履歴管理部を備えてもよい。
この場合には、カードリーダ２０４により個人証明カード３００から読み取られた来訪者履歴情報を、例えばインターホン親機１００Ａ、１００Ｂ経由で（あるいはインターホン子機２００、２００Ａ、２００Ｂから直接に）警備サーバ５００、５００Ｂに送信し、警備サーバ５００、５００Ｂにおける履歴管理部が、来訪者履歴情報を来訪者履歴情報記憶部に記憶させるように構成すればよい。
【０１３７】
また、来訪者履歴情報を記憶するように構成した場合において、例えば、居住者からの通報や警備サーバ５００、５００Ｂの運営者が収集した情報などに基づいて、要注意者であると指定される者については、その旨を示す情報を付加するようにしてもよい。
ここでの要注意者とは、例えば詐欺などの犯罪者であることが確定さあるいは推定される個人または団体を含む。あるいは、犯罪ではないが、例えば迷惑電話に該当するようなセールス業者なども含まれてよい。
そして、インターホン子機２００、２００Ａ、２００Ｂにより個人証明カードから所有者関連情報を読み取った際には、読み取った所有者関連情報と来訪者履歴情報とを照合するように構成する。照合の結果、所有者関連情報が要注意者のものである場合には、インターホン親機１００、１００Ａ、１００Ｂにて警告が行われるようにしたり、警備会社や警察機関などに通報が行われるようにしてもよい。
【０１３８】
また、上記各実施形態においては、例えばインターホン親機１００、１００Ａ、１００Ｂとインターホン子機２００、２００Ａ、２００Ｂとの間で通話が開始されてから個人証明カードの読み取りが行われるという手順になっている。
しかし、例えばセキュリティを高くすることを考慮した場合には、例えば、まず、インターホン子機２００、２００Ａ、２００Ｂ側で個人証明カード３００を読み取らせなければ、呼出ボタン２０３を操作しても呼び出しが行われない（呼出音が出力されない）ように構成してもよい。
また、さらに、呼出ボタン２０３の操作の前に個人証明カード３００を読み取らせたうえで、第３の実施形態に準じた正当性判定を行うようにしてもよい。そして、正当性のあることが判定されれば呼出ボタン２０３の操作に応じて呼出音が出力され、正当性の無いことが判定された場合には、呼出ボタン２０３を操作しても呼出音が出力されないように構成することができる。
なお、インターホン子機２００、２００Ａ、２００Ｂは、来訪者に個人証明カード３００を読み取らせることを促す機能を備えてもよい。具体的には、インターホン子機２００、２００Ａ、２００Ｂに表示部を設け、「カードをかざしてください」などのような来訪者へのメッセージを表示部に表示させてもよい。また、インターホン子機２００、２００Ａ、２００Ｂから、音声により「カードをかざしてください」などのメッセージを出力させてもよい。
【０１３９】
また、第３実施形態などにおいて来訪者について正当性のないことが判定された場合には、例えば一定時間にわたって、ドア錠４００が解錠できないようにしてもよい。
例えば、老人などを対象とする詐欺などの場合には、正当性のない来訪者であると判定されたとしても、何らかの巧妙な手口を用いて、ドアを開けさせようとすることが考えられる。このような状況への対策として、上記のように一定時間にわたってドア錠４００が解錠できないようにすれば、居住者が冷静に考える時間が得られ、また、来訪者も犯罪行為をあきらめる可能性が高くなる。
【０１４０】
なお、上述のインターホン親機１００、１００Ａ、１００Ｂ、インターホン子機２００、２００Ａ、２００Ｂ、及び警備サーバ５００、５００Ｂなどとしての機能を実現するためのプログラムをコンピュータ読み取り可能な記録媒体に記録して、この記録媒体に記録されたプログラムをコンピュータシステムに読み込ませ、実行することにより上述のインターホン親機１００、１００Ａ、１００Ｂ、インターホン子機２００、２００Ａ、２００Ｂ、及び警備サーバ５００、５００Ｂなどとしての処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムにすでに記録されているプログラムとの組み合わせで実現できるもの、いわゆる差分ファイル（差分プログラム）であってもよい。
【符号の説明】
【０１４１】
１  住宅、１０、１０Ａ、１０Ｂ  インターホン装置、１００、１００Ａ、１００Ｂ  インターホン親機、１０１  インターホン通信部、１０２  制御部、１０３  記憶部、１０４  マイクロフォン、１０５  スピーカ、１０６  表示部、１０７  操作部、１０７ａ  通話ボタン、１０７ｂ  終了ボタン、１０７ｃ  解錠ボタン、１０８  サーバ通信部、１２１  通話制御部、１２２、１２Ｂ  表示制御部、１２３  履歴管理部、１２４  解錠制御部、１３１  来訪者履歴情報記憶部、２００、２００Ａ、２００Ｂ  インターホン子機、２０１  インターホン通信部、２０２  制御部、２０３  呼出ボタン、２０４  カードリーダ、２０５  カメラ、２０６  マイクロフォン、２０７  スピーカ、２２１  通話制御部、２２２  カメラ制御部、２２３  送受信制御部、３００  個人証明カード、４００  ドア錠、５００、５００Ｂ  警備サーバ、５０１  通信部、５０２  制御部、５０３  記憶部、５２１  所有者関連情報取得部、５２２  情報送信制御部、５２３  正当性判定部、５２４  カード正当性判定部、５３１  登録者テーブル記憶部
【図１】
2016225898.tif 000003
【図２】
2016225898.tif 000004
【図３】
2016225898.tif 000005
【図４】
2016225898.tif 000006
【図５】
2016225898.tif 000007
【図６】
2016225898.tif 000008
【図７】
2016225898.tif 000009
【図８】
2016225898.tif 000010
【図９】
2016225898.tif 000011
【図１０】
2016225898.tif 000012
【図１１】
2016225898.tif 000013